(57)【特許請求の範囲】
【請求項１】
スライドスイッチを把持部に備え、上記スライドスイッチの接点切換方向へのスライドを許容又は阻止するロック機構が上記把持部に組み込まれているマイクロホンにおいて、
上記スライドスイッチは、フレームと、上記フレームに接点切換方向にスライド可能に取り付けられているとともに該フレームに設けられた切換つまみ用窓部から外部に臨む切換つまみを有するスライダと、上記スライダのスライドにより接点の切換えが行われる端子板と、上記スライダの接点切換方向へのスライドを阻止するロック機構と、を備え、
上記ロック機構は、
上記フレーム又はスライダのいずれか一方に設けられたロックつまみ導入用切欠部及びロックつまみストッパー部と、
上記フレーム又はスライダの他方に設けられていて、ロック解除位置にあるときには、上記ロックつまみ導入用切欠部内に導入されて上記スライダの接点切換方向へのスライドを許容し、ロック位置にあるときには、上記ロックつまみストッパー部に当接して上記スライダの接点切換方向へのスライドを阻止するロックつまみと、
を備えていることを特徴とするマイクロホン。
【請求項２】
上記ロックつまみ導入用切欠部及びロックつまみストッパー部は、上記フレームに設けられた切換つまみ用窓部のスライダスライド方向の一端側の一側部と他側部に設けられ、
上記ロックつまみは、上記スライダにスライド可能に取り付けられていて、一方向にスライドさせることにより上記ロックつまみ導入用切欠部に対向するロック解除位置に位置し、他方向にスライドさせることにより上記ロックつまみストッパー部に対向するロック位置に位置するようになっている
ことを特徴とする請求項１に記載のマイクロホン。
【請求項３】
上記ロックつまみは、上記スライダに設けられた長孔状のロックつまみ用窓部を介して、上記フレームの切換つまみ用窓部内に侵入していて、上記長孔状のロックつまみ用窓部の一端側にスライドさせると、上記ロック解除位置に位置し、上記長孔状のロックつまみ用窓部の他端側にスライドさせると、上記ロック位置に位置するようになっている
ことを特徴とする請求項２に記載のマイクロホン。
【請求項４】
上記ロックつまみは、つまみ支持体の一側面に設けられているとともに、
上記つまみ支持体は、上記スライダに設けられた支持体取付部にスライド可能に取り付けられている
ことを特徴とする請求項３に記載のマイクロホン。
【請求項５】
上記つまみ支持体は、上記ロックつまみがロック位置にあるときに、上記長孔状のロックつまみ用窓部を介して外部に表出されるロック表示部を有している
ことを特徴とする請求項３に記載のマイクロホン。
【請求項６】
上記ロック表示部は、上記つまみ支持体の一側面を着色することにより構成されている
ことを特徴とする請求項５に記載のマイクロホン。
【請求項７】
スライドスイッチと、該スライドスイッチに取り付けて使用されるスライドスイッチカバーを把持部に備えたマイクロホンにおいて、
上記スライドスイッチは、フレームと、上記フレームに接点切換方向にスライド可能に取り付けられているとともに該フレームに設けられた切換つまみ用窓部から外部に臨む切換つまみを有するスライダと、上記スライダのスライドにより接点の切り換えが行われる端子板と、上記スライダの接点切換方向へのスライドを阻止するロックつまみを有するロック機構とを備え、
上記スライドスイッチカバーは、上記スライドスイッチの切換つまみを操作する切換つまみ操作部と、上記スライドスイッチのロックつまみを操作するロックつまみ操作部とを備えているマイクロホンにおいて、
上記切換つまみ操作部は、表面側に被操作部を設けたベースプレート部の裏面側をつまみ取付部を介して上記切換つまみに取り付けることにより構成され、
上記ロックつまみ操作部は、上記ロックつまみに取付部を介して一端側が取り付けられているとともに他端側に設けた被操作部を上記切換つまみ操作部のベースプレート部に設けた長孔内に臨ませた状態で上記ベースプレート部にスライド可能に取り付けられている
ことを特徴とするマイクロホン。
【請求項８】
上記ロックつまみ操作部は、上記ロックつまみがロック位置にあるときに、上記長孔を介して外部に表示されるロック表示部を有している
ことを特徴とする請求項７に記載のマイクロホン。
【発明の詳細な説明】
【０００１】
【発明の属する技術分野】
本発明は、パワースイッチ或はトークスイッチと称されるスライドスイッチを備えたマイクロホンに関するものである。
【０００２】
【従来の技術】
スライドスイッチを備えたマイクロホンとしてハンドヘルド型のマイクロホンが知られている。
【０００３】
図１９に示したように、上記マイクロホン１０１は、把持部１０２にスライドスイッチ１１３を有している。そして、上記把持部１０２を右手又は左手で把持し、把持した手の親指等で上記スライドスイッチ１０３をオン・オフ操作することができるようになっている。
【０００４】
【発明が解決しようとする課題】
ところで、上記従来のマイクロホン１０１は、スライドスイッチ１０３によってマイクロホン使用者が必要に応じて任意に電源をオン・オフすることができるという利点がある反面、使用者の不注意による誤操作が発生しやすい。従って、放送中に上記スライドスイッチ１０３を誤操作したために放送が中断されてしまうというような事態が発生するという虞もある。
【０００５】
上述のような事態が発生するのを防止するために、図２０に示したように上記スライドスイッチ１０３を覆うようにカバー１０５をネジ１０６で取り付けたり、図２１に示したように、ストッパー１０７をネジ１０６で取り付けたりして、上記スライドスイッチ１０３のスライドを阻止する外付け式のロック手段、或は上記電源のオン・オフ用のスライドスイッチの他にソフトウェア制御用のスイッチを設け、該スイッチがオンしている状態の下では、上記スライドスイッチ１０３を誤操作してもその操作を無効にするようにした電気的処理手段が採られている。
【０００６】
しかし、上記カバー１０５やストッパー１０７を使用する外付け手段は、これらカバー１０５やストッパー１０７をネジ１０６で把持部１０２等に取り付ける作業が面倒であり、またカバー１０５やストッパー１０７を取外しているときにこれらが紛失しやすいという欠点がある。
【０００７】
また、上記電気的処理手段は、そのぶん回路構成が複雑になるとともに、ソフトウェア制御用のスイッチも高価でマイクロホンのコストが高くなるという問題点があった。
【０００８】
【課題を解決するための手段】
本発明は、スライドスイッチを把持部に備え、上記スライドスイッチの接点切換方向へのスライドを許容又は阻止するロック機構が上記把持部に組み込まれているマイクロホンにおいて、上記スライドスイッチは、フレームと、上記フレームに接点切換方向にスライド可能に取り付けられているとともに該フレームに設けられた切換つまみ用窓部から外部に臨む切換つまみを有するスライダと、上記スライダのスライドにより接点の切換えが行われる端子板と、上記スライダの接点切換方向へのスライドを阻止するロック機構と、を備え、上記ロック機構は、上記フレーム又はスライダのいずれか一方に設けられたロックつまみ導入用切欠部及びロックつまみストッパー部と、上記フレーム又はスライダの他方に設けられていて、ロック解除位置にあるときには、上記ロックつまみ導入用切欠部内に導入されて上記スライダの接点切換方向へのスライドを許容し、ロック位置にあるときには、上記ロックつまみストッパー部に当接して上記スライダの接点切換方向へのスライドを阻止するロックつまみと、を備えている。
【０００９】
従って、上記ロック機構によって必要に応じて任意に上記スライドスイッチのスライドを可能にしたり不可能にしたりすることができる。そして、上記ロック機構は、マイクロホンに組み込まれているために、従来の外付け式のカバーやストッパーのようにネジで取り付けたり取り外したりする必要がなく取扱いが簡単になるとともに、紛失等の虞もなくなる。また、ロック機構がスライドスイッチに組み込まれているので、スライドスイッチをマイクロホンに組み付ければ自ずとロック機構も組み付けられた状態になる。更に、スライドスイッチのフレームとスライダを係合させることにより切換つまみをロックして、接点の切換えを不可能にし、上記フレームとスライダの係合を解除することにより切換つまみのロックを解除して、接点の切換えを可能にすることができる。
【００１０】
【発明の実施の形態】
図１は、本発明のマイクロホン１の要部の斜視図である。上記マイクロホン１は、ワイヤレスのハンドヘホルド型のマイクロホンとして構成されていて、把持部２に電源オン・オフ用のスライドスイッチ３が設けられているとともに、上記スライドスイッチ３の接点切換方向へのスライドを許容又は阻止するロック機構１１が組み込まれている。上記ロック機構１１は、上記スライドスイッチ３に組み込まれている。
【００１１】
図２に示したように、上記スライドスイッチ３は、コ字状のフレーム４と、上記フレーム４に接点切換方向にスライド可能に取り付けられているとともに、該フレーム４に設けられた切換つまみ用窓部５から外部に臨む切換つまみ６を有するスライダ７と、上記スライダ７のスライドにより接点の切換えが行われる端子板８と、上記スライダ７の接点切換方向へのスライドを阻止する上記ロック機構１１とを備えている。
【００１２】
上記ロック機構１１は、上記フレーム４に設けられたロックつまみ導入用切欠部１２及びロックつまみストッパー部１３と、上記スライダ７に設けられていてロック解除位置にあるときには、上記ロックつまみ導入用切欠部１２内に導入されて上記スライダの接点切換方向へのスライドを許容し、ロック位置にあるときには、上記ロックつまみストッパー部１３に当接して上記スライダの接点切換方向へのスライドを阻止するロックつまみ１４とを備えている。
【００１３】
上記ロックつまみ導入用切欠部１２及びロックつまみストッパー部１３は、上記フレーム４に設けられた切換つまみ用窓部５の切換つまみスライド方向の一端側（図２の下端側）の一側部（左端側）と他側部（右端側）に設けられている。
【００１４】
上記ロックつまみ１４は、上記スライダ７にスライド可能に取り付けられていて、一方向（左方向）にスライドさせることにより上記ロックつまみ導入用切欠部１２に対向するロック解除位置に位置し、他方向（右方向）にスライドさせることにより上記ロックつまみストッパー部１３に対向するロック位置に位置するようになっている。
【００１５】
図３〜４に示したように、上記ロックつまみ１４は、上記スライダ７に設けられた長孔状のロックつまみ用窓部２１を介して、上記フレーム４の切換つまみ用窓部５内に侵入していて、上記長孔状のロックつまみ用窓部２１の一端側（左端側）にスライドさせると、上記ロック解除位置に位置し、上記長孔状のロックつまみ用窓部２１の他端側（右端側）にスライドさせると、上記ロック位置に位置するようになっている。
【００１６】
上記ロックつまみ１４は、つまみ支持体２２の一側面に設けられている。上記つまみ支持体２２は、上記スライダ７に設けられた支持体取付部２３にスライド可能に取り付けられている。
【００１７】
上記つまみ支持体２２は、上記ロックつまみ１４がロック位置にあるときに、上記長孔状のロックつまみ用窓部２１を介して外部に表出されるロック表示部２４を有している。
【００１８】
上記ロック表示部２４は、上記つまみ支持体２２の一側面を赤や黄色等の所謂目立つ色に着色することにより構成されている。
【００１９】
上記スライダ７の背面（上記切換つまみ６が設けられている面と反対側の面）には、接触子支持部板２５が取り付けられる。
【００２０】
図４に示したように、上記接触子支持部板２５は、外面側に１対の接触子２６，２６を有し、内面側に第１，第２の突起２７，２８を有している。
【００２１】
上記接触子支持部板２５は、上記第１の突起２７を上記スライダ７の背面側に設けた突起嵌合部２９に嵌合することにより、上記スライダ７の背面側に取り付けられる。
【００２２】
上記接触子支持部板２５をスライダ７の背面側に取り付けると、上記第２の突起２８が上記つまみ支持体２２の背面に設けた突起嵌合用スリット３０内に圧入される。そして、上記ロックつまみ１４乃至つまみ支持体２２を上記ロック解除位置に移動させると上記第２の突起２８は、上記スリット３０の一端部に設けた第１の凹部３１に嵌合して、上記つまみ支持体２２乃至ロックつまみ１４をロック解除位置で停止させ、上記ロックつまみ１４乃至つまみ支持体２２を上記ロック解除位置からロック位置に移動させると、上記第２の突起２８は、上記スリット３０の他端部に設けた第２の凹部３２に嵌合して、上記つまみ支持体２２乃至ロックつまみ１４をロック位置で停止させる。
【００２３】
また、上記端子板８は、外側面に第１，第２，第３の３対の端子４１，４２，４３を有しているとともに、内側面には図３に示したように、上記端子４１，４２，４３にそれぞれ接続された第１，第２，第３の３対の接触子４４，４５，４６が設けられている。上記第１，第２の接触子４４，４５は、上記切換つまみ６を上記切換つまみ用窓部５の上端側に移動させたときに、上記スライダ７の背面側に、上記接触子支持部板２５を介して設けた１対の接触子２６，２６によって接続されるようになっている。また、上記第２，第３の接触子４５，４６は、上記切換つまみ６を上記切換つまみ用窓部５の下端側に移動させたときに、上記１対の接触子２６，２６によって接続されるようになっている。
【００２４】
なお、上記スライドスイッチ３の組み立ては以下の順序で行われる。先ず、上記スライダ７につまみ支持体２２と接触子支持部板２５を組み付けたのち、上記スライダ７を上記コ字状のフレーム４内に挿入し、上記切換つまみ６を上記フレーム４に設けた切換つまみ用窓部５から突出させて、上記スライダ７をスライド可能に上記フレーム４内に組み付ける。次に、上記スライダ７の背面側に上記端子板８を重ね合わせる。そして、上記コ字状のフレーム４に設けた係合爪片５１…５１を上記端子板８に設けた爪係合溝５２…５２に挿入して、上記爪片５１…５１の先端を折り曲げて固定することにより組立て作業は終了する。
【００２５】
上記スライドスイッチ３は、フレーム４の上下端に設けられたネジ止部６１を利用してネジによって、上記マイクロホン１の把持部２に取り付けられている。
【００２６】
次に、上記スライドスイッチ３の作用について説明する。図５に示したように、上記ロックつまみ１４を長孔状のロックつまみ用窓部２１の左端側のロック解除位置に移動させた状態にすると、ロック機構１１によるスライダ７のロックは解除された状態になる。
【００２７】
従って、上記切換つまみ６を介して上記スライダ７を押し下げると、上記ロックつまみ１４が上記ロックつまみ導入用切欠部１２内に導入され、上記スライダ７は所定の位置まで下降して接点の切換えが行われて、電源はオフ状態になる。
【００２８】
また、図５に示した状態から、上記ロックつまみ１４を長孔状のロックつまみ用窓部２１の右端側のロック位置に移動させると、図７に示したように、上記ロックつまみ１４は上記ストッパー部１３の上部のロック位置にセットされるとともに、上記つまみ支持体２２の一側面に設けたロック表示部２４が上記ロックつまみ用窓部２１を通して外部に表出され、ロック状態であることを表示する。
【００２９】
そして、上記切換つまみ６を介して上記スライダ７を押し下げると、上記ロックつまみ１４が上記ストッパー部１４に当接して、上記スライダ７の更なる下降及び該下降による接点の切換を阻止して、電源がオフ状態になるのを防止するのである。
【００３０】
図８は、スライドスイッチ３の変形例を示す。この変形例においては、切換つまみ６（スライダ７）にロックつまみ導入用切欠部１２とロックつまみストッパー部１３が設けられている。また、フレーム４に長孔状のロックつまみ用窓部２１が設けられているとともに、該窓部２１に沿ってスライド可能にロックつまみ１４が取り付けられている。
【００３１】
そして、上記ロックつまみ１４を上記ロックつまみ用窓部２１の左端側に移動させた状態で、上記切換つまみ６を下方にスライドさせると、図９に示したように上記ロックつまみ導入用切欠部１２内に上記ロックつまみ１４が導入されて、上記切換つまみ６を設けたスライダ７も下方にスライドして接点の切換えを行うようになっている。また、図１０に示したように、上記ロックつまみ１４を上記ロックつまみ用窓部２１の右端側に移動させた状態で上記切換つまみ６を下方にスライドさせると上記ストッパー部１３が上記ロックつまみ１４に当接して、上記切換つまみ６を設けたスライダ７の更なるスライド及び該スライダ７の更なるスライドによる接点の切換えを阻止するようになっている。
【００３２】
図１１は、スライドスイッチ３の他の変形例を示す。この変形例においては、切換つまみ６を設けたスライダ７にロックつまみ１４を設けている。上記ロックつまみ１４は、所謂プッシュ式になっていて、非プッシュ状態においては、フレーム４に設けた切換つまみ用窓部５から外部に突出している。従って、この状態で切換つまみ６を下方にスライドさせると、上記ロックつまみ１４が上記フレーム４の切換つまみ用窓部５の下端縁に当接して切換つまみ６を設けたスライダ７の更なるスライド及び該スライダ７の更なる下降による接点の切換えを阻止するようになっている。
【００３３】
上記ロックつまみ１４は、これをプッシュすると図１２に示したように、上記スライダ７内に没入した状態でロックされるようになっている。従って、この状態で、上記切換つまみ６を下方へスライドさせると、上記ロックつまみ１４は、上記フレーム４に設けた切換つまみ用窓部５の下端縁に当接せず、上記切換つまみ６が上記切換つまみ用窓部５の下端部にくるまで上記スライダ７はスライドして接点の切換えを行うようになっている。なお、図１２に示したロックつまみ１４がスライダ７内に没入してロックされている状態において、上記ロックつまみ１４を再び軽くプッシュすると、上記ロックつまみ１４はロックを解除されて突出するようになっている。
【００３４】
図１４〜１８は、スライドスイッチ３と、該スライドスイッチ３に取り付けて使用されるスライドスイッチカバー５１を把持部２に備えた請求項９〜１１のマイクロホン１を示す。
【００３５】
図１５〜１６に示したように、上記スライドスイッチ３は、フレーム４と、上記フレーム４に接点切換方向にスライド可能に取り付けられているとともに該フレーム４に設けられた切換つまみ用窓部５から外部に臨む切換つまみ６を有するスライダ７と、上記スライダ７のスライドにより接点の切り換えが行われる端子板８と、上記スライダ７の接点切換方向へのスライドを阻止するロックつまみ１４を有するロック機構１１とを備えている。
【００３６】
上記スライドスイッチカバー５１は、上記スライドスイッチ３の切換つまみ６を操作する切換つまみ操作部６１と、上記スライドスイッチ３のロックつまみ１４を操作するロックつまみ操作部７１とを備えている。
【００３７】
上記切換つまみ操作部６１は、表面側に被操作部６２を設けたベースプレート部６３の裏面側をつまみ取付部６４を介して上記切換つまみ６に取り付けることにより構成されている。図１６に示したように、上記つまみ取付部６４の背面側にはつまみ嵌合用の溝部６５が設けられていて、該溝部６５に上記切換つまみ６の先端を圧入するようになっている。
【００３８】
上記ロックつまみ操作部７１は、上記ロックつまみ１４に取付部７２を介して一端側が取り付けられているとともに他端側に設けた被操作部７３を上記切換つまみ操作部６１のベースプレート部６３に設けた長孔６６内に臨ませた状態で上記ベースプレート部６３の裏面側に設けられた取付部６７にスライド可能に取り付けられている。上記取付部７２の背面側には、つまみ嵌合用の溝部７４が設けられていて、該溝部７４に上記切換つまみ１４の先端を圧入することにより、該切換つまみ１４の先端に一体的に取り付けられるようになっている。上記ロックつまみ操作部７１は、図１７に示したように、上記被操作部７３をペン先等で押圧して上記長孔６６の一端（図１７の右端）側に移動させることにより上記スライドスイッチ３のロックつまみ１４をロック位置つまりスライドスイッチ３のストッパー部１３に当接する位置に移動させ、他端（図１７の左端）側に移動させることにより上記ロックつまみ１４をロック解除位置つまりスライドスイッチ３のロックつまみ導入用切欠部１２に導入される位置に移動させるようになっている。
【００３９】
上記ロックつまみ操作部７１は、上記ロックつまみ１４がロック位置にあるときに、上記長孔６６を介して外部に表示されるロック表示部７５を有している。
【００４０】
そして、図１８に示したように、マイクロホン１のプリント基板１ａにマウントされたスライドスイッチ３に取り付けられたスライドスイッチカバー５１は、上記マイクロホン１の把持部２の開口部２ａに臨んで配置されている。
【００４１】
そして、上述したように上記ロックつまみ操作部７１の被操作部７３をペン先等で上記長孔６６の一端側に移動させると上記スライドスイッチ３のロックつまみ１４をロック位置に移動させて、上記スライドスイッチ３を切換不可能な状態にロックする。また、上記被操作部７３を上記長孔６６の他端側に移動させると上記スライドスイッチ３のロックつまみ１４がロック解除位置に移動する。従って、上記切換つまみ操作部６１の被操作部６２を指先等で操作してスライドスイッチ切換方向に押圧すると、上記スライドスイッチ３のロックつまみ１４がロックつまみ導入用切欠部１２内に侵入し、スライドスイッチカバー５１全体がスライドスイッチ切換方向に移動して、上記スライドスイッチ３の接点の切り換えが行われるのである。なお、図１４〜１８に示したスライドスイッチ３の構造も図１〜１２に示したスライドスイッチ３と基本的な構造は同じであるので重複する説明は省略する。
【００４２】
【発明の効果】
本発明のマイクロホンには次に述べるような効果がある。
（１）請求項１のマイクロホンは、スライドスイッチの接点切換方向へのスライドを許容又は阻止するロック機構を組み込んであるので、上記ロック機構によってスライドスイッチのスライドを阻止しておくことにより、上記スライドスイッチの誤操作を確実に防止することができる。特に、ロック機構が組み込まれているので従来の外付け式のカバーやストッパーのようにネジ等を使用しての取り付け、取外しの手間がなくなり、カバーやストッパーの紛失等の問題もなくなる。また、ロック機構がスライドスイッチに組み込まれているので、スライドスイッチをマイクロホンに組み付ければ自ずとロック機構も組み付けられた状態になる。更に、スライドスイッチのフレームとスライダを係合させることにより切換つまみをロックして、接点の切換えを不可能にし、上記フレームとスライダの係合を解除することにより切換つまみのロックを解除して、接点の切換えを可能にすることができる。
（２）請求項２のマイクロホンは、ロックつまみをスライドさせることによりロックとロック解除を行うことができる。
（３）請求項３のマイクロホンは、ロックつまみを長孔状のロックつまみ用窓部内でスライドさせるようにしたので、上記窓部内におけるロックつまみの位置により該つまみがロック状態にあるかロック解除状態にあるか判断するのが容易になる。
（４）請求項４のマイクロホンは、ロックつまみをスライダに容易にスライド可能に組み付けることが可能になる。
（５）請求項５のマイクロホンは、スライドスイッチがロック機構によってロックされた状態にあるか否かをロック表示部によって容易に識別することができる。
（６）請求項６のマイクロホンは、ロック表示部を赤や黄色等の目立つ色で着色したのでより識別が容易になる。
（７）請求項７のマイクロホンは、スライドスイッチカバーでスライドスイッチの表面を覆うので、上記スライドスイッチの外観が多少体裁の悪いものでも文字通りこれをカバーすることができるとともに、上記カバーに設けた切換つまみ操作部とロックつまみ操作部によって上記スライドスイッチの切換つまみとロックつまみを間接的に操作することができる。特に、ロックつまみ操作部の被操作部を、切換つまみ操作部のベースプレート部に設けた長孔内に臨ませて、該ベースプレート部の表面から突出しないようにしたので上記被操作部が他の物に当たるなどして誤操作されるのを防止することができる。
（８）請求項８のマイクロホンは、ロックつまみ操作部に設けたロック表示部によってスライドスイッチがロック状態になっていることを表示することができる。
【図面の簡単な説明】
【図１】マイクロホン要部の斜視図。
【図２】スライドスイッチの斜視図。
【図３】スライドスイッチの分解斜視図。
【図４】スライドスイッチの分解斜視図。
【図５】正面図（ロック解除状態）。
【図６】正面図（ロック解除状態）。
【図７】正面図（ロック状態）。
【図８】スライドスイッチの変形例の斜視図（ロック解除状態）。
【図９】スライドスイッチの変形例の斜視図（ロック解除状態）。
【図１０】スライドスイッチの変形例の斜視図（ロック状態）。
【図１１】スライドスイッチ他の変形例の斜視図（ロック状態）。
【図１２】スライドスイッチ他の変形例の斜視図（ロック解除状態）。
【図１３】スライドスイッチ他の変形例の斜視図（ロック解除状態）。
【図１４】請求項９のマイクロホンの正面図。
【図１５】スライドスイッチカバーの斜視図。
【図１６】スライドスイッチカバーを背面側から見た斜視図。
【図１７】スライドスイッチカバーの正面図。
【図１８】スライドスイッチカバーの使用状態の断面図。
【図１９】従来例の斜視図。
【図２０】従来例の斜視図。
【図２１】従来例の斜視図。
【符号の説明】
１…マイクロホン、２…把持部、３…スライドスイッチ、４…フレーム、５…切換つまみ用窓部、６…切換つまみ、７…スライダ、８…端子板、１１…ロック機構、１２…ロックつまみ導入用切欠部、１３…ロックつまみストッパー部、１４…ロックつまみ、２１…ロックつまみ用窓部、２２…つまみ支持体、２３…スライダの支持体取付部、２４…ロック表示部、５１…スライドスイッチカバー、６１…切換つまみ操作部、６２…被操作部、６３…ベースプレート部、６４…つまみ取付部、６６…長孔、７１…ロックつまみ操作部、７２…つまみ取付部、７３…被操作部、７５…ロック表示部。
【図１】
0004158279.tif 000002
【図２】
0004158279.tif 000003
【図３】
0004158279.tif 000004
【図４】
0004158279.tif 000005
【図５】
0004158279.tif 000006
【図６】
0004158279.tif 000007
【図７】
0004158279.tif 000008
【図８】
0004158279.tif 000009
【図９】
0004158279.tif 000010
【図１０】
0004158279.tif 000011
【図１１】
0004158279.tif 000012
【図１２】
0004158279.tif 000013
【図１３】
0004158279.tif 000014
【図１４】
0004158279.tif 000015
【図１５】
0004158279.tif 000016
【図１６】
0004158279.tif 000017
【図１７】
0004158279.tif 000018
【図１８】
0004158279.tif 000019
【図１９】
0004158279.tif 000020
【図２０】
0004158279.tif 000021
【図２１】
0004158279.tif 000022